(57)【要約】      （修正有）【課題】音楽を再生中の端末の当事者の使い勝手を良くする。【解決手段】受信アンテナ６を介して端末の情報を取得する通信管理部１１と、端末が保有する楽曲情報とその再生状態を管理するコンテンツ管理部１４と、コンテンツ管理部１４に従い端末が保有するデータを処理する信号処理部８とを有し、通信管理部１１と接続できない端末の楽曲再生を一時保留するようコンテンツ管理部１４に指示する制御部１０を備える。【選択図】図３
2012204925.tif 000002
【特許請求の範囲】
【請求項１】
受信アンテナを介して端末の情報を取得する通信管理部と、
前記端末が保有する楽曲情報とその再生状態を管理するコンテンツ管理部と、
前記コンテンツ管理部に従い前記端末が保有するデータを処理する信号処理部とを有し、
前記通信管理部と接続できない端末の楽曲再生を一時保留するよう前記コンテンツ管理部に指示する制御部を備えた車載用電子機器。
【請求項２】
受信アンテナを介して端末の情報を取得する通信管理部と、
前記端末が保有する楽曲情報とその再生状態を管理するコンテンツ管理部と、
前記コンテンツ管理部に従い前記端末が保有するデータを処理する信号処理部とを有し、
前記端末は携帯電話であって、着信のあった携帯電話の保有する楽曲が再生状態であることを前記通信管理部から取得すれば、この着信のあった携帯電話が再生中の楽曲を通話終了後に再生可能に管理するよう前記コンテンツ管理部に指示する制御部を備えた車載用電子機器。
【請求項３】
前記制御部は、着信のあった携帯電話の楽曲再生を一時保留するよう前記コンテンツ管理部に指示する請求項２に記載の車載用電子機器。
【発明の詳細な説明】
【技術分野】
【０００１】
本発明は、車載用電子機器に関するものである。
【背景技術】
【０００２】
近年発売されている自動車は、車内に設けられた複数の座席に対応してそれぞれスピーカが設けられている。また、このような自動車の車内に設置される車両用電子機器は、車内に存在する複数の端末、具体的には携帯電話が保有する音楽などをリストにし、適宜前記スピーカにて順番に再生することができるようになっている（例えば、特許文献１参照）。
【先行技術文献】
【特許文献】
【０００３】
【特許文献１】特開２００８−２１３３７号公報
【発明の概要】
【発明が解決しようとする課題】
【０００４】
しかしながら、従来例においては、端末がどのような状態であっても順番に音楽を再生するため、使い勝手が良くなかった。
【０００５】
具体的には、車内における携帯電話に電話がかかってきた場合に、電話のかかってきた当事者の保有する音楽などが再生されていたとすると、一番その音楽を聴きたいと思っている当事者が音楽を楽しむことができず、使い勝手が悪いものであった。
【０００６】
すなわち、複数の携帯電話から登録した音楽などを車両用電子機器においてリスト管理し、そのリストに従い順番に再生する場合がある。そして、Ａさんが自分の携帯電話から登録した音楽が再生される順番となり、その音楽が再生される。その時に、Ａさんの携帯電話に電話がかかってきたとすると、Ａさんは通話に集中することとなり、再生中の音楽を楽しむことができない。
【０００７】
そこで、本発明は、音楽を再生中の端末の当事者の使い勝手を良くすることを目的とするものである。
【課題を解決するための手段】
【０００８】
そして、この目的を達成するために本発明は、受信アンテナを介して端末の情報を取得する通信管理部と、端末が保有する楽曲情報とその再生状態を管理するコンテンツ管理部と、コンテンツ管理部に従い端末が保有するデータを処理する信号処理部とを有し、通信管理部と接続できない端末の楽曲再生を一時保留するようコンテンツ管理部に指示する制御部を備え、これにより所期の目的を達成するものである。
【発明の効果】
【０００９】
以上のように本発明は、受信アンテナを介して端末の情報を取得する通信管理部と、端末が保有する楽曲情報とその再生状態を管理するコンテンツ管理部と、コンテンツ管理部に従い端末が保有するデータを処理する信号処理部とを有し、通信管理部と接続できない端末の楽曲再生を一時保留するようコンテンツ管理部に指示する制御部を備えたものであるので、音楽を再生中の端末の当事者の使い勝手を良くすることができる。
【００１０】
また、受信アンテナを介して端末の情報を取得する通信管理部と、端末が保有する楽曲
情報とその再生状態を管理するコンテンツ管理部と、コンテンツ管理部に従い端末が保有するデータを処理する信号処理部とを有し、端末は携帯電話であって、着信のあった携帯電話の保有する楽曲が再生状態であることを通信管理部から取得すれば、この着信のあった携帯電話が再生中の楽曲を通話終了後に再生可能に管理するようコンテンツ管理部に指示する制御部を備えたものであるので、電話のかかってきた当事者は、自らの登録した音楽を通話終了後に楽しむことができ、この結果として使い勝手を良くすることができるものである。
【図面の簡単な説明】
【００１１】
【図１】本発明の一実施形態にかかる車載用電子機器を車内に設置した状態を車両の上側から見た図
【図２】同車載用電子機器の音楽再生状態の正面図
【図３】同車載用電子機器の構成図
【図４】同車載用電子機器の端末登録手順を示すフローチャート
【図５】同車載用電子機器の端末管理テーブルを示す図
【図６】同車載用電子機器の再生予約手順を示すフローチャート
【図７】同車載用電子機器のコンテンツ管理テーブルを示す図
【図８】同車載用電子機器に端末が未接続の際の処理を示すフローチャート
【図９】同車載用電子機器に登録された端末着信の際の処理を示すフローチャート
【図１０】同車載用電子機器に登録された端末通話終了の際の処理を示すフローチャート
【発明を実施するための形態】
【００１２】
（実施の形態）
以下、本発明の実施の形態を、添付図面を用いて説明する。
【００１３】
図１において、車両１のフロント部分には、ハンドル２が設けられ、またこのハンドル２の側方には車載用電子機器３が配置されている。また、このフロント部分には、座席４ＦＲおよび４ＦＬが配置されている。さらに、車両１の後部にも座席４ＲＲおよび４ＲＬが配置されている。
【００１４】
本実施の形態では、座席４ＦＲには端末Ａを所持した運転者が着座し、座席４ＦＬには端末Ｂを、座席４ＲＬには端末Ｃを所持した同乗者が着座しているものとして説明する。なお、端末ＡからＣは、携帯電話などの通信機能を有するものである。
【００１５】
図２は、車載用電子機器３において、再生する楽曲の予約リストを表示中の表示部５を示している。座席４ＦＲの運転者が所有する端末Ａと、座席４ＦＬの同乗者が所有する端末Ｂと、座席４ＲＬの同乗者が所有する端末Ｃに格納されている楽曲が登録されており、端末Ａの曲が再生中で、その他の曲が予約されていることを示している。
【００１６】
本実施の形態においては、特に車載用電子機器３を図３のような構成とした。
【００１７】
すなわち、端末からの電波を受信する受信アンテナ６と、受信アンテナ６で受信した端末の端末情報およびその端末の車内位置情報を登録管理する端末登録管理部７と、端末が保有するデータを処理する信号処理部８と、この信号処理部８の出力側に設けたスピーカ出力制御部９とを有する。そして、端末登録管理部７、信号処理部８、およびスピーカ出力制御部９の制御を行う制御部１０を備える。
【００１８】
例えば、端末情報とは、端末の名称、ネットワークアドレス、通信時の認証用データなどの情報である。
【００１９】
また、受信アンテナ６に接続され通信管理をする通信管理部１１と、再生中の音楽データの内容などを表示する液晶パネルなどの表示部５の表示内容を制御する表示制御部１２と、操作者が車載用電子機器３に対して入力を行う操作部１３を有する。
【００２０】
また、端末登録管理部７に登録された端末の楽曲情報とその再生順番の管理、および楽曲の再生状態の管理を行なうコンテンツ管理部１４を有する。このコンテンツ管理部１４は、その再生状態の変化を制御部１０に通知する。例えば、楽曲情報として、音楽データの曲名、アルバム名、アーティスト名などの情報と、それらを一意に特定可能なＩＤ情報などを用いる。
【００２１】
なお、端末と車載用電子機器３との通信手段として、Ｂｌｕｅｔｏｏｔｈ（登録商標）を用いることが多いが、これに限定するものではない。また、操作部１３は、タッチパネルを用いることが好ましい。
【００２２】
次に、車載用電子機器３に端末の初期登録の手順を図４および図５を用いて説明する。
【００２３】
まず、操作者による操作部１３の入力を制御部１０が受け、制御部１０は通信管理部１１に端末登録動作開始を指示する（ステップ１）。ステップ２では、制御部１０は、端末が登録されたかどうかを判定する。例えば、通信手段としてＢｌｕｅｔｏｏｔｈ（登録商標）を使用する場合、規格により決められた手順に従い車載用電子機器３に端末を登録する。登録結果が成功の場合はステップ３へ進み、失敗の場合は処理を終了する。
【００２４】
ステップ３では、制御部１０は、端末登録管理部７に対し端末情報の登録指示を行う。
【００２５】
次に、図５に示す端末登録管理部７が管理する端末管理テーブルの説明をする。
【００２６】
図４の処理により登録された各端末は、ＩＤ１５が付与され、端末情報１６、接続状態１７の情報を保有する。なお、接続状態１７に示すＨＦＰはハンズフリープロファイルによる接続、ＡＶＰはＡｕｄｉｏ／Ｖｉｓｕａｌプロファイルによる接続、ＳＰＰはシリアルポートプロファイルによる接続を意味する。
【００２７】
次に、車載用電子機器３において再生する楽曲情報の予約方法について、端末Ｃに格納されている楽曲を予約する場合を例に、図６から図７を用いて説明する。
【００２８】
図６において、制御部１０は、通信管理部１１を介して、端末ＣとＳＳＰ接続を行ない、端末Ｃから再生予約要求とその楽曲情報を受信する（ステップ４）。
【００２９】
次に、制御部１０は、再生予約の要求、および受信した楽曲情報と端末Ｃの端末情報をコンテンツ管理部１４に送信する（ステップ５）。
【００３０】
次に、コンテンツ管理部１４は、制御部１０からの予約情報を受信し、コンテンツ管理テーブルの空き領域を検索し、その予約情報を格納する（ステップ６）。
【００３１】
次に、コンテンツ管理部１４は、コンテンツ管理テーブルに予約情報の格納を実施した場合は予約成功を、格納しなかった場合は予約失敗を制御部１０に対して送信する（ステップ７）。
【００３２】
次に、制御部１０は、コンテンツ管理部１４からの再生予約結果を受信し、その予約結果を通信管理部１１を介して端末Ｃに送信し、端末ＣとのＳＳＰ接続を切断する（ステッ
プ８）。
【００３３】
次に、図７に示すコンテンツ管理部１４が管理するコンテンツ管理テーブルの説明をする。
【００３４】
図６の処理により登録された予約情報は、ＩＤ１８が付与され、再生に必要な楽曲情報１９、その楽曲が格納されている端末情報２０、その予約状態２１である。ＩＤ１８の１番目から３番目までは端末Ａと端末Ｂにより再生予約済である。また、端末Ａの楽曲情報（１）が再生中であり、図６の処理により端末Ｃに格納されている楽曲情報（４）が、末尾の４番目に登録されたことを示している。
【００３５】
このような構成において、図８を用いて、コンテンツ管理テーブルに格納された再生予約情報にしたがって、制御部１０が再生曲を切り替える動作を説明する。
【００３６】
まず、制御部１０は、通信管理部１１を介して接続中の携帯端末から再生トラック変化などの再生状態変化通知により、再生中の楽曲が終了したことを検知する。そして、制御部１０は、次に再生する楽曲情報とそれが格納されている端末情報をコンテンツ管理部１４に要求する（ステップ９）。
【００３７】
次に、コンテンツ管理部１４は、コンテンツ管理テーブルを検索し、次に再生する楽曲情報と、それが格納されている端末情報を制御部１０に送信する（ステップ１０）。
【００３８】
ステップ１１では、制御部１０は、コンテンツ管理部１４から次に再生する楽曲情報を取得できなかった場合は再生曲切替処理を終了し、楽曲情報を取得できた場合は次のステップ１２の処理に移行する。
【００３９】
ステップ１２では、制御部１０は、再生する楽曲情報が格納されている端末とのＡＶＰ接続状況を通信管理部１１に取得させる。当該端末とのＡＶＰ接続が接続済の場合はステップ１５に、ＡＶＰ接続が未接続の場合は、ステップ１３の処理を行なう。
【００４０】
ステップ１３では、制御部１０は、コンテンツ管理部１４から取得した端末とのＡＶＰ接続を通信管理部１１に指示する。
【００４１】
ステップ１４では、制御部１０は、ＡＶＰ接続が成功した場合またはＡＶＰ接続済の場合は、通信管理部１１を介して、再生する楽曲情報を指定して再生開始要求を当該端末に送信する。
【００４２】
以上の処理により、制御部１０は、当該端末から楽曲データを通信管理部１１を介して受信し、受信した楽曲データを信号処理部８にてデコード処理を行い、スピーカ出力制御部９を介してスピーカに出力させる。
【００４３】
一方、ステップ１４において、ＡＶＰ接続が行なえなかった場合、制御部１０は、コンテンツ管理部１４に対して、その端末の予約情報を消去する要求を行なう（ステップ１６）。その後、コンテンツ管理部１４は、コンテンツ管理テーブルから、当該端末の予約情報を消去する（ステップ１７）。
【００４４】
以上の処理により、例えば端末の所有者が車両から降車した場合でも、コンテンツ管理テーブルから当該端末の予約情報が消去されるため、ユーザによる予約情報更新の手続きが不要となる。
【００４５】
次に、図９と図１０を用いて、接続している携帯端末に着信が発生した場合の再生曲切替処理について説明する。
【００４６】
図９のステップ１８において、制御部１０は、通信管理部１１を介して、接続中の端末が着信中に遷移したことを検知した場合、コンテンツ管理部１４に現在再生中の端末情報を要求する。
【００４７】
ステップ１９では、コンテンツ管理部１４は、コンテンツ管理テーブルを検索し、現在再生中の端末情報を制御部１０に送信する。
【００４８】
ステップ２０では、制御部１０は、着信を検知した端末と、コンテンツ管理部１４から取得した再生中の端末の情報が一致するかを判定する。一致しない場合は、再生曲切替処理を終了し、一致する場合は次のステップ２１の処理に遷移する。
【００４９】
ステップ２１では、制御部１０は、楽曲再生中の携帯端末に対して再生停止コマンドを送信するよう通信管理部１１に指示する。
【００５０】
ステップ２２では、制御部１０は、再生中の端末の予約情報を保留にするようコンテンツ管理部１４に指示する。
【００５１】
その後の処理は、図８のフローと同じである。
【００５２】
次に、図１０において、携帯端末の通話が終了し待受け状態に遷移したことを検知した場合の処理を説明する。
【００５３】
制御部１０は、通信管理部１１を介して接続中の携帯端末の通話が終了して待受け状態に遷移したことを検知した場合、当該端末の予約情報の保留の解除をコンテンツ管理部１４に指示する（ステップ２３）。
【００５４】
コンテンツ管理部１４は、コンテンツ管理テーブルを検索し、指定された端末の予約状態を保留から待機に更新する（ステップ２４）。
【００５５】
以上のように本発明は、受信アンテナを介して端末の情報を取得する通信管理部と、端末が保有する楽曲情報とその再生状態を管理するコンテンツ管理部と、コンテンツ管理部に従い端末が保有するデータを処理する信号処理部とを有し、通信管理部と接続できない端末の楽曲再生を一時保留するようコンテンツ管理部に指示する制御部を備えたものであるので、音楽を再生中の端末の当事者の使い勝手を良くすることができる。
【００５６】
また、受信アンテナを介して端末の情報を取得する通信管理部と、端末が保有する楽曲情報とその再生状態を管理するコンテンツ管理部と、コンテンツ管理部に従い端末が保有するデータを処理する信号処理部とを有し、端末は携帯電話であって、着信のあった携帯電話の保有する楽曲が再生状態であることを通信管理部から取得すれば、この着信のあった携帯電話が再生中の楽曲を通話終了後に再生可能に管理するようコンテンツ管理部に指示する制御部を備えたものであるので、電話のかかってきた当事者は、自らの登録した音楽を通話終了後に楽しむことができ、この結果として使い勝手を良くすることができるものである。
【産業上の利用可能性】
【００５７】
以上のように本発明は、受信アンテナを介して端末の情報を取得する通信管理部と、端末が保有する楽曲情報とその再生状態を管理するコンテンツ管理部と、コンテンツ管理部
に従い端末が保有するデータを処理する信号処理部とを有し、通信管理部と接続できない端末の楽曲再生を一時保留するようコンテンツ管理部に指示する制御部を備えたものであるので、音楽を再生中の端末の当事者の使い勝手を良くすることができる。
【００５８】
また、受信アンテナを介して端末の情報を取得する通信管理部と、端末が保有する楽曲情報とその再生状態を管理するコンテンツ管理部と、コンテンツ管理部に従い端末が保有するデータを処理する信号処理部とを有し、端末は携帯電話であって、着信のあった携帯電話の保有する楽曲が再生状態であることを通信管理部から取得すれば、この着信のあった携帯電話が再生中の楽曲を通話終了後に再生可能に管理するようコンテンツ管理部に指示する制御部を備えたものであるので、電話のかかってきた当事者は、自らの登録した音楽を通話終了後に楽しむことができ、この結果として使い勝手を良くすることができるものである。
【００５９】
したがって、車載用電子機器として極めて有用なものとなる。
【符号の説明】
【００６０】
１  車両
２  ハンドル
３  車載用電子機器
４ＦＲ、４ＦＬ、４ＲＲ、４ＲＬ  座席
５  表示部
６  受信アンテナ
７  端末登録管理部
８  信号処理部
９  スピーカ出力制御部
１０  制御部
１１  通信管理部
１２  表示制御部
１３  操作部
１４  コンテンツ管理部
１５  ＩＤ
１６  端末情報
１７  接続状態
１８  ＩＤ
１９  楽曲情報
２０  端末情報
２１  予約状態
【図１】
2012204925.tif 000003
【図２】
2012204925.tif 000004
【図３】
2012204925.tif 000005
【図４】
2012204925.tif 000006
【図５】
2012204925.tif 000007
【図６】
2012204925.tif 000008
【図７】
2012204925.tif 000009
【図８】
2012204925.tif 000010
【図９】
2012204925.tif 000011
【図１０】
2012204925.tif 000012